(57)【要約】【課題】利便性を向上することができる警報器を提供する。【解決手段】外部環境の変化を検知する第一センサ４１と、人体に影響を及ぼす緊急度が前記第一センサに比べて低いものを検知対象とする第二センサ４２と、を備え、第一センサ４１が外部環境の変化を検知したとき、または、第二センサ４２が検知対象を検知したときに報知する警報器１であって、停止指示を受けたときに報知する機能を停止可能に構成され、第一センサ４１が検知したときに報知する機能の停止時間と、第二センサ４２が検知したときに報知する機能の停止時間とが異なる。【選択図】図１
2018037046.tif 000002
【特許請求の範囲】
【請求項１】
外部環境の変化を検知する第一センサと、
人体に影響を及ぼす緊急度が前記第一センサに比べて低いものを検知対象とする第二センサと、
を備え、
前記第一センサが外部環境の変化を検知したとき、または、前記第二センサが検知対象を検知したときに報知する警報器であって、
停止指示を受けたときに前記報知する機能を停止可能に構成され、
前記第一センサが検知したときに報知する機能の停止時間と、前記第二センサが検知したときに報知する機能の停止時間とが異なる、
警報器。
【請求項２】
前記停止可能な報知機能は、前記第二センサが、所定の温度、所定の湿度、または、所定の温湿度を検知したときに報知する機能である、
請求項１に記載の警報器。
【請求項３】
前記第二センサは、前記報知する機能が停止しているときに、前記所定の温度、前記所定の湿度、または、前記所定の温湿度を検知可能に構成される、
請求項２に記載の警報器。
【請求項４】
前記報知する機能の復帰指示を受け付けたとき、前記報知する機能が停止してから所定時間経過したとき、または、所定の条件を満たしたときに前記報知する機能が復帰可能に構成される、
請求項１から請求項３のいずれか一項に記載の警報器。
【請求項５】
前記報知する機能が停止しているときに電源がＯＦＦされた後に電源がＯＮされると、前記報知する機能が復帰可能に構成される、
請求項１から請求項４のいずれか一項に記載の警報器。
【請求項６】
前記報知する機能が停止しているか否かについて報知可能に構成される、
請求項１から請求項５のいずれか一項に記載の警報器。
【請求項７】
動作点検を開始する操作と異なる態様で操作されることによって、前記報知する機能が停止しているか否かについて報知可能に構成される、
請求項６に記載の警報器。
【請求項８】
第二センサが検知した温湿度に基づいて、暑さまたは乾燥のそれぞれの警戒度に応じて複数のレベルにおいて報知可能に構成される、
請求項１から請求項７のいずれか一項に記載の警報器。
【請求項９】
暑さに関する報知または乾燥に関する報知毎に、前記第二センサが検知したときに報知する機能の停止する範囲を設定可能に構成される、
請求項８に記載の警報器。
【発明の詳細な説明】
【技術分野】
【０００１】
本発明は、警報器の技術に関する。
【背景技術】
【０００２】
従来、屋内に設置されて、外部環境の変化を検知する警報器は公知となっている。前記警報器は、ＬＰガス、都市ガス、または、一酸化炭素、煙等の所定の検知対象を検知したときに報知する。
また、前記警報器には、外部環境の変化を検知するセンサに加えて、人体に影響を及ぼす緊急度が前記ガス等に比べて低いものを検知対象とするセンサをさらに備えるものが公知となっている。前記警報器は、例えば、ガスセンサと、温湿度センサと、を備え、所定のガス等を検知したときに検知することに加えて、所定の温度または所定の湿度を検知したとき（例えば、熱中症が発症する危険度が高い温度になったとき、または、ウイルスに感染し易い湿度になったとき等）に報知する。
【先行技術文献】
【特許文献】
【０００３】
【特許文献１】特願２０１５−１９５０１７号公報
【発明の概要】
【発明が解決しようとする課題】
【０００４】
ここで、前記警報器は、操作具等が操作されて停止指示を受付けたときに、前記報知する機能を停止可能に構成されるものがある。このように構成される前記警報器では、報知する機能の停止指示を受付けると、前記外部環境の変化を検知したときに報知する機能と、前記人体に影響を及ぼす緊急度が比較的低いものを検知したときに報知する機能と、が同様に停止することが考えられる。つまり、前記警報器では、報知する機能の停止指示を行うと、前記外部環境の変化を検知したときに報知する機能と、前記人体に影響を及ぼす緊急度が比較的低いものを検知したときに報知する機能と、が同じ時間停止することが考えられる。このため、前記警報器では、例えば、停止指示を受けたときに、人体に影響を及ぼす緊急度が比較的高いセンサであっても、他のセンサと同様に同じ時間停止することとなり、警報器の周囲の状況に応じて停止時間を設定することができず、不便である。
【０００５】
本発明は以上の如き状況に鑑みてなされたものであり、緊急度に応じて報知する機能の停止時間を設定することができ、利便性を向上することができる警報器を提供することを課題とする。
【課題を解決するための手段】
【０００６】
本発明の解決しようとする課題は以上の如くであり、次にこの課題を解決するための手段を説明する。
【０００７】
即ち、請求項１においては、外部環境の変化を検知する第一センサと、人体に影響を及ぼす緊急度が前記第一センサに比べて低いものを検知対象とする第二センサと、を備え、前記第一センサが外部環境の変化を検知したとき、または、前記第二センサが検知対象を検知したときに報知する警報器であって、停止指示を受けたときに前記報知する機能を停止可能に構成され、前記第一センサが検知したときに報知する機能の停止時間と、前記第二センサが検知したときに報知する機能の停止時間とが異なるものである。
【０００８】
請求項２においては、前記停止可能な報知機能は、前記第二センサが、所定の温度、所定の湿度、または、所定の温湿度を検知したときに報知する機能である。
【０００９】
請求項３においては、前記第二センサは、前記報知する機能が停止しているときに、前記所定の温度、前記所定の湿度、または、前記所定の温湿度を検知可能に構成されるものである。
【００１０】
請求項４においては、前記報知する機能の復帰指示を受け付けたとき、前記報知する機能が停止してから所定時間経過したとき、または、所定の条件を満たしたときに前記報知する機能が復帰可能に構成されるものである。
【００１１】
請求項５においては、前記報知する機能が停止しているときに電源がＯＦＦされた後に電源がＯＮされると、前記報知する機能が復帰可能に構成されるものである。
【００１２】
請求項６においては、前記報知する機能が停止しているか否かについて報知可能に構成されるものである。
【００１３】
請求項７においては、動作点検を開始する操作と異なる態様で操作されることによって、前記報知する機能が停止しているか否かについて報知可能に構成されるものである。
【００１４】
請求項８においては、第二センサが検知した温湿度に基づいて、暑さまたは乾燥のそれぞれの警戒度に応じて複数のレベルにおいて報知可能に構成されるものである。
【００１５】
請求項９においては、暑さに関する報知または乾燥に関する報知毎に、前記第二センサが検知したときに報知する機能の停止する範囲を設定可能に構成されるものである。
【発明の効果】
【００１６】
本発明の効果として、以下に示すような効果を奏する。
即ち、本発明によれば、緊急度に応じて報知する機能の停止時間を設定することができ、利便性を向上させることができる。
【図面の簡単な説明】
【００１７】
【図１】本発明の実施形態に係る警報器を示すブロック図。
【図２】同じく警報器の動作を示すフロー図。
【図３】同じく警報器の動作を示すフロー図。
【図４】同じく警報器の動作を示すフロー図。
【図５】同じく警報器の動作を示すフロー図。
【図６】同じく警報器を示すブロック図。
【発明を実施するための形態】
【００１８】
次に、第一実施形態に係る警報器１について、図１から図５を用いて説明する。
【００１９】
警報器１は、屋内に設置されて、所定の温度または所定の湿度を検知したとき（例えば、熱中症が発症する危険度が高い温度になったとき、または、ウイルスに感染し易い湿度になったとき等）に報知する。警報器１は、電池を備える。電池は、一次電池であり、警報器１の動作に要する電力が蓄電される。
図１に示すように、警報器１は、制御部２と、指示受付部３と、センサ４と、報知部６と、を備える。
【００２０】
警報器１の制御部２は、警報器１（指示受付部３、センサ４、および、報知部６）の各種の動作を制御する。制御部２は、各種情報を記憶する記憶装置（不図示）、および、時計機能（例えばリアルタイムクロック）を備える。
【００２１】
警報器１の指示受付部３は、警報器１の各種の動作を設定する指示、または、警報器１の各種の動作を開始若しくは停止等させる指示を受付ける。指示受付部３は、操作具（例えば、操作スイッチ、タッチパネル、または、リモコン等）、または、有線若しくは無線等の電気通信回線（例えば、赤外線通信、電話回線、または、ＮＦＣ（Ｎｅａｒ  Ｆｉｅｌｄ  Ｃｏｍｍｕｎｉｃａｔｉｏｎ）等）で構成され、操作具が操作されることによって指示を受付け、または、電気通信回線を通じて指示を受け付ける。警報器１は、指示受付部３の指示受付態様によって、各種の動作の設定、または、各種の動作を開始若しくは停止等を可能に構成される。
【００２２】
警報器１のセンサ４は、所定の検知対象を検知する。センサ４は、第一センサ４１と第二センサ４２とを備える。
【００２３】
警報器１のセンサ４の第一センサ４１は、第二センサ４２とは検知対象が異なり、外部環境の変化を検知する。第一センサ４１は、例えば、ＬＰガス、都市ガス、若しくは、ＣＯ等の所定の被検知ガスを検出してガス漏れ等を検知するガスセンサ、煙や炎（炎の温度）を検出して火災を検知する火災センサ、または、建築物等への侵入を検知する防犯センサ等で構成される。以下において、センサ４は、第一センサ４１としてガスセンサを備える例を基本として説明する。
【００２４】
警報器１のセンサ４の第二センサ４２は、第一センサ４１とは検知対象が異なり、人体に影響を及ぼす緊急度が第一センサ４１に比べて低いものを検知対象とする。第二センサ４２は、温度、湿度、温湿度のうち少なくとも一つを検知対象とするセンサで構成される。第二センサ４２は、例えば、温度センサ、湿度センサ、または、温湿度センサで構成され、警報器１の周囲の暑さや乾燥度合を検出する。以下において、センサ４は、第二センサ４２として温湿度センサを備える例を基本として説明する。
【００２５】
警報器１の報知部６は、スピーカーとランプとを備え、スピーカーから音声を発すること、ランプが点灯若しくは消灯すること、または、電気通信回線を介して外部（例えば、管理サーバー、警備会社、建築物管理会社、または、携帯情報端末等）に通信すること等によって、センサ４が検知した内容または警報器１の状態等を報知する。
報知部６は、センサ４の第一センサ４１が所定の濃度の被検知ガスを検知したとき、第二センサ４２が所定の温度、所定の湿度、または所定の温湿度を検知したとき、に報知（警報）する。報知部６は、センサ４が検出した値（ガス濃度の値、温度、湿度、または、温湿度等）が予め定められた所定の値（所定の閾値）以上と制御部２が判断したときに報知する。
【００２６】
警報器１の報知部６は、ランプに代えて液晶等の画面を備え、センサ４が検知した内容または警報器１の状態等を報知する構成とすることもできる。また、報知部６は、電気通信回線を介して外部（例えば、管理サーバー、警備会社、建築物管理会社、または、携帯情報端末等）に通信することによって報知する構成とすることもできる。
【００２７】
警報器１は、報知部６の報知する動作が行われていないときに「センサ４の第一センサ４１が所定の濃度の被検知ガスを検知したとき、または、第二センサ４２が所定の温度、所定の湿度、または所定の温湿度を検知したときに報知部６の報知する機能（以下、「報知部６の危険報知機能」という）」を停止可能に構成される。警報器１では、報知部６による報知する動作が行われていないときに、報知部６の危険報知機能を停止する指示（停止指示）を指示受付部３が受付けることによって、報知部６の危険報知機能を停止する（報知部６が報知しない）設定が行われる。
【００２８】
次に、警報器１における報知部６の危険報知機能を停止する動作について、図２を用いて説明する。
【００２９】
図２に示すように、警報器１では、報知部６の報知する動作が行われておらず、報知部６の危険報知機能が停止されていないときに、報知部６の危険報知機能を停止する指示を指示受付部３が受付けたか否かについて、制御部２が判断する（ステップＳ１１）。
報知部６の危険報知機能を停止する指示を指示受付部３が受付けた、と制御部２が判断した場合には、ステップＳ１２に移行する。
報知部６の危険報知機能を停止する指示を指示受付部３が受付けた、と制御部２が判断しない場合には、ステップＳ１１を繰返し行う。
【００３０】
次に、警報器１では、制御部２が報知部６の危険報知機能を停止する（ステップＳ１２）。
このとき、報知部６は、報知部６の危険報知機能を停止する旨等をランプや音声等で報知させてもよい。
以上のようにして、警報器１における報知部６の危険報知機能を停止する動作が行われる。
【００３１】
以上のように、報知部６の危険報知機能を停止可能に構成される、警報器１では、不在時等の不必要時に、報知部６の危険報知機能を停止して、所定の濃度の被検知ガス、所定の温度、所定の湿度、または所定の温湿度であること報知部６が報知することを防止することができる。
したがって、警報器１では、不必要時に、所定の濃度の被検知ガス、所定の温度、所定の湿度、または所定の温湿度であることを報知部６が報知することによる電力消費を抑制することができる。また、警報器１では、不必要時に、所定の濃度の被検知ガス、所定の温度、所定の湿度、または所定の温湿度であることを頻繁に報知部６が報知することよる煩わしさを防止することができる。
【００３２】
以上のように、指示受付部３が指示（停止指示）を受付けたときに、報知部６の報知する機能を停止可能に構成される、警報器１では、指示受付部３が指示を受付けて報知部６の報知する機能を停止して、不在時等の不必要時に報知部６が報知することを防止することができる。
したがって、警報器１では、不必要時に、報知部６が報知することによる電力消費を抑制することができ、また、不必要時に、報知部６が報知することよる煩わしさを防止することができる。
【００３３】
以上のように、警報器１では、指示受付部３が指示を受付けることによって、報知部６の報知する機能を停止可能に構成されることから、意図せずに、報知部６の報知する機能が停止した状態となることを防止することができる。
【００３４】
以上のように、警報器１では、報知部６による報知する動作が行われていないときに、報知部６の報知する機能を停止可能に構成されることから、報知部６による報知する動作が行われている危険時等ではなく、不在時などの必要なときのみ報知部６の報知する機能を停止可能にすることができる。
【００３５】
警報器１では、指示受付部３が指示（停止指示）を受付けたときに、第一センサ４１に基づいて報知する機能と第二センサ４２に基づいて報知する機能とのうち少なくとも一方を、時間の制限なく停止可能に構成することもできる。指示受付部３が指示を受付けたときに、時間の制限なく停止する報知機能については、予め設定される。
このように構成することにより、指示受付部３が指示（停止指示）を受付けたときに、第一センサ４１に基づいて報知する機能または第二センサ４２に基づいて報知する機能とが、意図せずに、停止した状態となることを防止することができる。また、第一センサ４１に基づいて報知する機能と第二センサ４２に基づいて報知する機能とのうち少なくとも一方について時間の制限なく停止することから、停止した側の報知機能が意図せずに復帰している状態となることを回避することができる。
【００３６】
警報器１では、停止可能な報知部６の危険報知機能を、センサ４の第二センサ４２が、所定の温度、所定の湿度、または所定の温湿度を検知したときに報知する機能とすることもできる。
このように構成することにより、センサ４の第一センサ４１が被検知ガスを検知したときの報知部６の危険報知機能を停止することなく、第二センサ４２が、所定の温度、所定の湿度、または所定の温湿度を検知したときに報知部６が報知する機能を停止することができる。
したがって、警報器１では、センサ４は、所定の温度、所定の湿度、または所定の温湿度を検知したときに報知部６が報知する機能が停止した状態であっても、報知の緊急度が比較的高い被検知ガスを検知したときの報知部６による報知を確実に行うことができる。
【００３７】
警報器１では、センサ４の第一センサ４１は、報知部６の危険報知機能が停止しているときに、被検知ガスを検知可能に構成することもできる。
このように構成することにより、警報器１では、報知部６の危険報知機能が停止しているときであってもセンサ４の第一センサ４１が所定の濃度の被検知ガスを検知して、報知部６の危険報知機能が停止しているときの警報器１周囲の被検知ガスの濃度の状態を把握することができる。
【００３８】
警報器１では、センサ４の第二センサ４２は、報知部６の危険報知機能が停止しているときに、温度、湿度、または温湿度を検知可能に構成することもできる。
このように構成することにより、警報器１では、報知部６の危険報知機能が停止しているときであってもセンサ４の第二センサ４２が温度または湿度を検知して、報知部６の危険報知機能が停止しているときの、温度、湿度、または温湿度の状態を把握することができる。
【００３９】
警報器１は、報知部６の危険報知機能が停止してから所定時間経過後（例えば３時間経過後）、または、所定間隔毎（例えば１時間毎）に、報知部６の危険報知機能が停止中である旨等を報知部６が報知する構成とすることもできる。
このように構成することにより、警報器１では、報知部６の危険報知機能の停止中に、報知部６の危険報知機能が停止中である旨等を報知（催促）して、報知部６の危険報知機能を復帰する設定が忘れられた状態となることを防止することができる。
【００４０】
警報器１は、報知部６の危険報知機能が停止しているか否かについて報知可能に構成することもできる。例えば、報知部６の危険報知機能が停止しているときには、報知部６の所定のランプが点滅し、報知部６の危険報知機能が停止していないときには、報知部６の所定のランプが消灯する、構成とする。
このように構成することによって、報知部６の危険報知機能が停止しているか否かについて容易に把握することができる。
【００４１】
警報器１の報知部６は、センサ４の第一センサ４１が所定の濃度の被検知ガスを検知したときに報知するガスランプと、センサ４の第二センサ４２が所定の温度、所定の湿度、または所定の温湿度を検知したときに報知する温湿度ランプと、を備える構成とすることもできる。
このとき、警報器１は、第二センサ４２に基づく報知部６の危険報知機能が停止中において、センサ４の第一センサ４１が所定の濃度の被検知ガスを検知した旨を報知部６が報知するときに、報知部６のガスランプに加えて温湿度ランプも点灯（例えば、ガスランプと温湿度ランプとを交互に点滅点灯、または、ガスランプと温湿度ランプとを同時に点灯等）する構成とすることもできる。
【００４２】
警報器１の報知部６は、センサ４の第一センサ４１の検知に基づく報知と、第二センサ４２に基づく報知と、で異なる態様で報知する。
このように構成することにより、警報器１では、報知部６が報知することによってセンサ４が検知した検知対象の状態を把握することができる。
このような構成に加えて、警報器１では、第二センサ４２が所定の温度を検知したときと、所定の湿度を検知したときと、または、所定の温湿度を検知したときと、で異なる態様で報知する構成とすることもできる。
【００４３】
警報器１は、センサ４の第二センサ４２が検知した温湿度に基づいて、暑さ（熱中症の危険度）または乾燥のそれぞれの警戒度に応じて複数のレベルにおいて報知部６が報知可能とすることもできる。例えば、警報器１は、暑さ指数（ＷＢＧＴ（Ｗｅｔ  Ｂｕｌｂ  Ｇｌｏｂｅ  Ｔｅｍｐｅｒａｔｕｒｅ））の警戒度に応じて、４段階において報知部６が報知可能に構成され、乾燥指数の警戒度に応じて、３段階において報知部６が報知可能に構成される。
このように構成されることにより、暑さまたは乾燥のそれぞれの警戒度に応じて複数のレベルにおいて報知部６が報知することから、暑さや乾燥に関するより細かい状態を把握することができる。
【００４４】
警報器１は、暑さに関する報知または乾燥に関する報知毎に、センサ４の第二センサ４２が検知したときに報知する報知部６の危険報知機能の停止する範囲を設定可能に構成することもできる。例えば、警報器１は、暑さに関しては、複数のレベルのうち第一段階（最もレベルの警戒度の低いレベル）で報知部６が報知するように、また、乾燥に関しては、すべてのレベルで報知部６が報知しない（乾燥に関する報知部６の報知を停止する）ように、報知部６の危険報知機能の停止する範囲を設定可能に構成される。報知部６の危険報知機能の停止する範囲を設定は、指示受付部３を介して予め任意のものに設定される。
このように構成されることにより、暑さに関する報知または乾燥に関する報知毎に、報知部６の危険報知機能の停止する範囲を任意のものに設定して、利用者の状態（健康状態や年齢等）に応じた暑さや乾燥に関する報知を行うことができる。
【００４５】
警報器１は、指示受付部３が受付ける停止指示の態様（例えば、指示する媒体や指示の内容）によって、報知部６の危険報知機能の停止時間、および、報知部６の危険報知機能の復帰の可否等を設定可能に構成される。警報器１は、指示受付部３が指示を受付けることによって、報知部６の危険報知機能を所定時間停止し、また、報知部６の危険報知機能を時間の制限なく停止する。
【００４６】
例えば、警報器１は、２４時間等の短期不在の場合には、操作具によって指示受付部３に指示することによって、報知部６の危険報知機能を２４時間停止し、報知部６の危険報知機能を停止してから２４時間経過後に、報知部６の危険報知機能が自動的に復帰するように構成される。
また例えば、警報器１は、数日（例えば、３日間）等の長期不在の場合には、操作具によって指示受付部３に２４時間停止させる場合よりも少し長い期間を指示することによって、報知部６の危険報知機能を３日間停止し、報知部６の危険報知機能を停止してから３日経過後に、報知部６の危険報知機能が自動的に復帰するように構成される。
また例えば、警報器１は、報知部６の危険報知機能を時間の制限なく停止する場合には、操作具によって指示受付部３に３日間停止させる場合よりも長い期間を指示することによって、報知部６の危険報知機能を停止し、操作具によって指示受付部３が操作されなければ報知部６の危険報知機能が復帰しないように構成される。
上記操作具による指示受付部３の操作の例として、操作スイッチの押圧操作があげられる。このような例の場合、操作スイッチの押圧操作の時間（押し時間）を異ならせることで、報知部６の危険報知機能の停止期間を選択して設定することができる。
【００４７】
上記例では、指示受付部３への指示の内容によって報知部６の危険報知機能の停止期間を変更したが、例えば、ＩＣカードによって指示した場合には２４時間停止、携帯端末によって指示した場合には３日間停止、または、操作具によって指示した場合には時間の制限なく停止するように、指示受付部３に指示する媒体によって報知部６の危険報知機能の停止期間を変更するようにしてもよい。
【００４８】
以上のように、指示受付部３が受付ける停止指示の態様によって、報知部６の危険報知機能の停止時間を設定可能に構成される、警報器１では、指示受付部３が停止指示を受付けることによって、報知部６の危険報知機能の停止時間を任意の時間に設定することができる。
【００４９】
以上のように、指示受付部３が受付ける停止指示の態様によって、報知部６の危険報知機能を所定時間停止する、警報器１では、指示受付部３が停止指示を受付けることによって、報知部６の危険報知機能の停止時間を任意の時間に設定することができる。
【００５０】
以上のように、指示受付部３が受付ける停止指示の態様によって、報知部６の危険報知機能を時間の制限なく停止する、警報器１では、指示受付部３が停止指示を受付けることによって、報知部６の危険報知機能を時間の制限なく停止する設定を行うことができる。
【００５１】
警報器１は、報知部６の報知動作が行われていないときに指示受付部３が指示を受付けることによって、警報器１の点検動作を実行可能に構成される。
警報器１は、報知部６の危険報知機能が停止しているときと、報知部６の危険報知機能が復帰しているときとで、警報器１の点検動作を実行するときの報知部６が報知する態様または警報器１の点検内容が異なる構成とすることができる。例えば、警報器１は、報知部６の危険報知機能が停止しているときと、報知部６の危険報知機能が復帰しているときとで、報知部６のランプの点灯態様が異なる構成としたり、報知部６の危険報知機能が停止しているときには、報知部６の危険報知機能が停止している旨を通常の点検に関する報知（報知部６の危険報知機能復帰時における点検に関する報知）とあわせて報知する構成とすることができる。
【００５２】
警報器１は、点検動作を開始する操作と異なる態様で操作されることによって、報知部６の危険報知機能が停止しているか否かについて報知可能に構成することもできる。例えば、警報器１は、操作スイッチ（指示受付部３）を３秒以上長押しした場合には、点検動作が開始され、操作スイッチを０．５秒以上２秒未満押した場合には、報知部６の危険報知機能が停止しているか否かについて報知する。
【００５３】
このように構成することによって、報知部６の危険報知機能が停止可能に構成されるものであっても、点検動作の開始と、報知部６の危険報知機能が停止しているか否かについて報知動作と、を簡易な操作で実行させることができる。また、点検動作を開始するための操作具と、報知部６の危険報知機能が停止しているか否かについて報知動作をさせるための操作具と、を共通の操作具で構成することもでき、比較的簡潔な構成とすることができる。
【００５４】
警報器１のセンサ４の第二センサ４２が温度センサと湿度センサとで構成される場合には、第二センサ４２の温度センサ、または、第二センサ４２の湿度センサのうちいずれか一方のセンサの検知に基づいて報知部６が報知する動作を行っていないとき、当該一部のセンサの検知に基づく報知部６の危険報知機能を停止可能としてもよい。例えば、第二センサ４２の温度センサに基づく報知部６の報知する動作が行われていないときであれば、第二センサ４２の湿度センサに基づく報知部６の報知する動作が行われていても、第二センサ４２の温度センサに基づく報知部６の報知機能を停止可能とする。
なお、警報器１では、要求される仕様に応じて、第一センサ４１に基づく報知機能のみについて、第二センサ４２に基づく報知機能のみについて、または、第一センサ４１に基づく報知機能と第二センサ４２に基づく報知機能とのいずれについても、停止可能に構成することもできる。
【００５５】
警報器１は、上記報知部６の危険報知機能を停止することに加えて、報知部６の報知時において報知機能（報知部６の報知動作）を一時的に停止することができる。
具体的には、警報器１は、センサ４の第二センサ４２によって所定の温度が検知された旨を報知部６が報知しているときに指示受付部３が指示を受付けることによって、第二センサ４２によって所定の温度が検知された旨の報知部６の報知動作を所定時間（例えば、３０分間）停止することができるように構成される。
警報器１は、センサ４の第一センサ４１によって所定の濃度の被検知ガスが検知された旨を報知部６が報知しているときに指示受付部３が指示を受付けることによって、第一センサ４１によって所定の濃度の被検知ガスが検知された旨の報知部６の報知動作を所定時間（例えば、３分間）停止することができるように構成される。
報知部６の危険報知機能の停止時間は、第一センサ４１に基づく報知と第二センサ４２に基づく報知とで、同じものとしてもよく、また、異なるものとしてもよい。報知部６の危険報知機能の停止時間は、第一センサ４１に基づく報知と第二センサ４２に基づく報知と異なるものとする場合には、例えば、報知の緊急度の高いほう（第一センサ４１）の報知機能の停止時間を短く設定し、緊急度の低いほう（第二センサ４２）の報知機能の停止時間を長く設定することができる。
【００５６】
警報器１は、報知部６の停止した危険報知機能が復帰可能に構成される。警報器１では、報知部６の危険報知機能を復帰させる指示（復帰指示）を指示受付部３が受付けること、報知部６の危険報知機能が停止してから所定時間経過したこと、または、報知部６の危険報知機能が停止してから所定時間経過前に報知部６の危険報知機能が復帰する所定の条件（以下「復帰条件」という）を満たすこと等によって、報知部６の危険報知機能を復帰する設定が行われる。
【００５７】
警報器１の復帰条件は、指示受付部３が復帰指示を受付けることに基づく条件、および、報知部６の危険報知機能が停止してから所定時間経過したことに基づく条件以外の条件であり、報知部６の危険報知機能が停止している状態で、予め設定される時間（例えば、毎日１８時）になったこと、および／または、センサ４の第二センサ４２が検出する温度、湿度、または温湿度のうち少なくとも一つが報知部６の危険報知機能の復帰を要するほど警戒レベルの高い状態にあること等に基づく条件として、指示受付部３が指示を受付けることによって予め設定される。
【００５８】
ここで、センサ４の第二センサ４２が検出する温度、湿度、または温湿度のうち少なくとも一つが報知部６の危険報知機能の復帰を要するほど警戒レベルの高い状態であることとは、例えば、報知部６の危険報知機能を停止した状態で、所定時間（例えば１時間）継続してセンサ４の第二センサ４２が所定の温度、所定の湿度、または所定の温湿度であることを検知したとき、または、第二センサ４２が検出した値が急激に所定の閾値以上となったとき（第二センサ４２が検出する暑さ指数の単位時間あたり上昇量が所定量以上のとき）等で設定される。
【００５９】
次に、警報器１における報知部６の危険報知機能が復帰する動作について、図３を用いて説明する。
【００６０】
図３に示すように、警報器１では、報知部６の危険報知機能を停止してから所定時間経過（予め設定される停止時間が経過）したか否かについて、制御部２が判断する（ステップＳ２１）。
報知部６の危険報知機能を停止してから所定時間経過した、と制御部２が判断した場合には、ステップＳ２４に移行する。
報知部６の危険報知機能を停止してから所定時間経過した、と制御部２が判断しない場合には、ステップＳ２２に移行する。なお、報知部６の危険報知機能を時間の制限なく停止する設定が行われているときには、報知部６の危険報知機能を停止してから所定時間経過した、と制御部２が判断しない場合として、ステップＳ２２に移行する。
【００６１】
次に、警報器１では、報知部６の危険報知機能を停止した状態（報知部６の危険報知機能の停止時間経過前）において、報知部６の危険報知機能を復帰する指示（復帰指示）を指示受付部３が受付けたか否かについて、制御部２が判断する（ステップＳ２２）。
報知部６の危険報知機能を復帰する指示を指示受付部３が受付けた、と制御部２が判断した場合には、ステップＳ２４に移行する。
報知部６の危険報知機能を復帰する指示を指示受付部３が受付けた、と制御部２が判断しない場合には、ステップＳ２３に移行する。
【００６２】
次に、警報器１では、復帰条件を満たすか否かについて、制御部２が判断する（ステップＳ２３）。
復帰条件を満たすと制御部２が判断した場合には、ステップＳ２４に移行する。
所定の条件を満たすと制御部２が判断しない場合には、ステップＳ２１に移行する。
【００６３】
次に、警報器１では、制御部２が報知部６の危険報知機能を復帰させる（ステップＳ２４）。このとき、報知部６は、報知部６の危険報知機能が復帰する旨等を音声またはランプ等で報知してもよい。
以上のようにして、警報器１における報知部６の危険報知機能が復帰する動作が行われる。
なお、上記では、報知部６の危険報知機能が復帰するための条件として、三つの条件（報知部６の危険報知機能を復帰させる指示を指示受付部３が受付けること、報知部６の危険報知機能が停止してから所定時間経過したこと、および、報知部６の危険報知機能が停止してから所定時間経過前に報知部６の危険報知機能が復帰条件を満たすこと）を備えている例を示したが、それに限らず、報知部６の危険報知機能が復帰するための条件を、一つまたは二個以上備える構成としてもよい。
【００６４】
以上のように、報知部６の危険報知機能が停止してから所定時間経過したことによって、報知部６の危険報知機能を復帰する設定が行われる、警報器１では、報知部６の危険報知機能が停止してから所定時間経過することによって、例えば、報知部６の危険報知機能が停止した状態であることを忘れていても、報知部６の危険報知機能を自動的に復帰させることができる。
【００６５】
以上のように、所定時間経過前（報知部６の危険報知機能の停止時間経過前）であっても、報知部６の危険報知機能を復帰する指示を指示受付部３が受付けることによって、報知部６の危険報知機能が復帰する、警報器１では、所定時間経過前（報知部６の危険報知機能の停止時間経過前）であっても、例えば帰宅時等の必要時に、前記所定時間の経過を待たずに、指示受付部３が復帰指示を受付けることによって報知部６の危険報知機能を復帰させることができる。したがって、警報器１によれば、必要時に報知部６の危険報知機能が復帰するまで待つこと等による煩わしさを解消することができる。
【００６６】
以上のように、復帰条件を満たす場合には、報知部６の危険報知機能が停止してから所定時間経過前であっても報知部６の危険報知機能が復帰する、警報器１では、所定時間経過前（報知部６の危険報知機能の停止時間経過前）であっても、例えば帰宅時等の必要時に、前記所定時間の経過を待たずに、復帰条件を満たすことによって報知部６の危険報知機能が復帰する。したがって、警報器１によれば、必要時に報知部６の危険報知機能が復帰していないこと、報知部６の危険報知機能が復帰するにあたって前記所定時間が経過するまで待つこと等による煩わしさを解消することができる。
【００６７】
警報器１は、報知部６の危険報知機能が停止してから報知部６の危険報知機能が復帰するまでの所定時間を、第一センサ４１が検知したときに報知する報知部６の危険報知機能の停止時間と、第二センサ４２が検知したときに報知する報知部６の危険報知機能の停止時間とで、それぞれ異なる時間に設定可能に構成することもできる。つまり、第一センサ４１が検知したときに報知する報知部６の危険報知機能の停止時間と、第二センサ４２が検知したときに報知する報知部６の危険報知機能の停止時間とが異なるように設定することができる。
【００６８】
このように構成することにより、例えば、通常の場合には、人体に影響を及ぼす緊急度が比較的高い第一センサ４１が検知したときに報知する報知部６の危険報知機能の停止時間を、第二センサ４２が検知したときに報知する報知部６の危険報知機能の停止時間に比べて短く設定することができる。また例えば、極端に暑い日であること等が予想される場合には、第二センサ４２が検知したときに報知する報知部６の危険報知機能の停止時間を、第一センサ４１が検知したときに報知する報知部６の危険報知機能の停止時間に比べて短く設定することがでる。
したがって、警報器１によれば、警報器１の周囲の状態に応じて、第一センサ４１が検知したときに報知する報知部６の危険報知機能の停止時間と、第二センサ４２が検知したときに報知する報知部６の危険報知機能の停止時間とで、報知部６の危険報知機能が停止してから報知部６の危険報知機能が復帰するまでの所定時間を、それぞれ異なる時間に設定して、利便性を向上させることができる。
【００６９】
警報器１は、報知部６の危険報知機能が停止してから所定時間（設定される停止時間）経過前に報知部６の危険報知機能が復帰する場合と、報知部６の危険報知機能が停止してから所定時間経過後に報知部６の危険報知機能が復帰する場合とでは、報知部６の危険報知機能が復帰した後の警報器１の動作態様（例えば報知部６の動作態様）が異なる構成とすることもできる。
【００７０】
警報器１では、例えば、報知部６の危険報知機能が停止してから所定時間経過前に報知部６の危険報知機能が復帰する場合には、所定時間経過前に報知部６の危険報知機能が復帰した旨を報知部６は報知し、報知部６の危険報知機能が停止してから所定時間経過後に報知部６の危険報知機能が復帰する場合には、所定時間経過後に報知部６の危険報知機能が復帰した旨を報知部６は報知する。
また例えば、報知部６の危険報知機能が停止してから所定時間経過前に報知部６の危険報知機能が復帰する場合には、報知部６の危険報知機能が復帰した旨を音声とランプとで報知部６は報知し、報知部６の危険報知機能が停止してから所定時間経過後に報知部６の危険報知機能が復帰する場合には、報知部６の危険報知機能が復帰した旨をランプで報知部６は報知する。
また例えば、報知部６の危険報知機能が停止してから所定時間経過前に報知部６の危険報知機能が復帰する場合には、所定時間経過後に復帰する場合と比較して報知部６の報知時における音量を小さく設定する。
【００７１】
このように構成することにより、報知部６の危険報知機能が、所定時間経過前に指示受付部３が復帰指示を受付けて復帰したものか、所定時間経過後に復帰したものかを知らせることができる。
【００７２】
報知部６の危険報知機能が所定時間経過前に復帰して、警報器１の動作態様が、報知部６の危険報知機能が所定時間経過後に復帰した場合の動作態様と異なる場合において、報知部６の危険報知機能が停止してから所定時間経過したとき、または、報知部６の危険報知機能が復帰してから一定時間経過したときには、警報器１の動作態様を、報知部６の危険報知機能が所定時間経過後に復帰したときのものと同じものに設定する構成とすることもできる。このように構成することで、報知部６の危険報知機能が復帰した後の警報器１の動作態様が、報知部６の危険報知機能が停止してから所定時間経過したか否かによって、常に異なることを防ぐことができる。
【００７３】
警報器１は、報知部６の危険報知機能が停止してから所定時間（設定される停止時間）経過前に復帰条件を満たして報知部６の危険報知機能が復帰する場合と、報知部６の危険報知機能が停止してから所定時間経過後に報知部６の危険報知機能が復帰および所定時間経過前に指示受付部３が復帰指示を受付けて報知部６の危険報知機能が復帰する場合とでは、報知部６の危険報知機能が復帰した後の警報器１の動作態様（例えば報知部６の動作態様）が異なる構成とすることもできる。
【００７４】
警報器１では、例えば、報知部６の危険報知機能が停止してから所定時間経過前に復帰条件を満たして報知部６の危険報知機能が復帰する場合には、それ以外の場合と比較して報知部６の報知時における音量を小さく設定する。
また上記と同様に、報知部６の危険報知機能が停止してから所定時間経過前に復帰条件を満たして報知部６の危険報知機能が復帰する場合と、それ以外の場合とでは、報知部６の危険報知機能が復帰したことを報知部６が報知する内容を変更したり、報知部６の危険報知機能が復帰したことを報知部６が報知する手段を異なる構成（音声およびランプで報知、または、ランプのみで報知）とすることもできる。
【００７５】
このように構成することにより、ユーザの意図に反して報知部６の危険報知機能が復帰しても、ユーザへの不快感を低減させつつ、危険な状態であることをユーザに知らせることが可能となる。
【００７６】
報知部６の危険報知機能が所定時間経過前に復帰条件を満たして復帰して、警報器１の動作態様が、報知部６の危険報知機能が所定時間経過後に復帰した場合や所定時間経過前に指示受付部３が復帰指示を受付けて復帰した場合の動作態様と異なる場合において、報知部６の危険報知機能が停止してから所定時間経過したとき、または、報知部６の危険報知機能が復帰してから一定時間経過したときには、警報器１の動作態様を、報知部６の危険報知機能が所定時間経過後に復帰した場合や所定時間経過前に指示受付部３が復帰指示を受付けて復帰したときのものと同じものに設定する構成とすることもできる。
このように構成することで、報知部６の危険報知機能が復帰した後の警報器１の動作態様が、報知部６の危険報知機能が停止してから所定時間経過したか否か、または、報知部６の危険報知機能が停止してから所定時間経過前に指示受付部３が復帰指示を受付けたか否かによって、常に異なることを防ぐことができる。
【００７７】
警報器１は、復帰条件を満たして報知部６の危険報知機能が復帰する場合には、報知部６の危険報知機能のうち一部の機能を復帰する構成とすることもできる。警報器１は、復帰条件を満たして報知部６の危険報知機能が復帰する場合には、報知部６の危険報知機能のうち、例えば、ランプの機能のみを復帰する構成とすることもできる。
【００７８】
警報器１は、報知部６の危険報知機能が停止しているときにセンサ４の第二センサ４２が温度、湿度、または温湿度を検知可能に構成される場合には、ステップＳ２４において報知部６の危険報知機能が復帰するとき、報知部６の危険報知機能の停止中にセンサ４の第二センサ４２が検出した温度、湿度、または温湿度に関する情報を、音声で報知することもできる。
【００７９】
警報器１では、例えば、報知部６の危険報知機能の停止中にセンサ４の第二センサ４２が検出した温度、湿度、または温湿度に関する情報（センサ４の第二センサ４２が検知した値および時間等）を、スピーカーで報知する。このとき、警報器１は、指示受付部３が復帰指示を受付けて報知部６の危険報知機能が復帰するときのみ、報知部６の危険報知機能の停止中にセンサ４の第二センサ４２が検出した温度、湿度、または温湿度に関する情報を、音声で報知する構成とすることもできる。
【００８０】
このように構成することにより、報知部６の危険報知機能を停止可能な構成であっても、報知部６の危険報知機能が復帰したときに、報知部６の危険報知機能の停止中の温度または湿度の状態を知らせることができる。
【００８１】
警報器１では、復帰条件が、センサの第二センサ４２が検出する温度、湿度、または温湿度のうち少なくとも一つが報知部６の危険報知機能の復帰を要するほど警戒レベルの高い状態であることに基づく条件とされる場合には、指示受付部３に復帰指示をすることによる報知部６の危険報知機能を復帰させる設定を忘れていても、第二センサ４２が検出する温度、湿度、または温湿度のうち少なくとも一つが報知部６の危険報知機能の復帰を要するほど警戒レベルの高い状態であるときに、報知部６の危険報知機能が復帰していない状態を解消することができる。
また、復帰条件が、予め設定される時間になったことに基づく条件とされる場合には、指示受付部３に復帰指示をすることによる報知部６の危険報知機能を復帰させる設定を忘れていても、予め設定される時間になったときに、報知部６の報知する機能を復帰させることができる。
【００８２】
警報器１では、復帰条件として、報知部６の危険報知機能が停止しているときに、電源（警報器１の電源）がＯＦＦされた後に電源が再度ＯＮされたことに基づく条件とすることもできる。
このように構成することにより、電源がＯＦＦされる前に報知部６の危険報知機能が停止した状態が、電源をＯＮして再起動した後も継続していることを防止することができる。
【００８３】
警報器１は、報知部６の危険報知機能を停止する指示を指示受付部３が受付けたときに、報知部６の危険報知機能の停止を禁止する所定の条件（以下「停止禁止条件」という）を満たさない場合には、報知部６の危険報知機能を停止し、停止禁止条件を満たす場合には、報知部６の危険報知機能を停止しない構成とすることもできる。
【００８４】
警報器１では、停止禁止条件は、報知部６の危険報知機能を停止する指示を指示受付部３が受付けたときに、例えば、センサ４の第二センサ４２が検出する温度、湿度、または温湿度のうち少なくとも一つが報知部６の危険報知機能の停止を禁止するほど警戒レベルの高い状態にあること、直近の報知部６の報知する動作から所定時間経過していないこと、および／または、報知部６の危険報知機能を停止する指示を指示受付部３が受付けないこと等に基づく条件として、指示受付部３を指示することによって予め設定（例えば、子供が停止できないように親が事前に設定）されていることがあげられる。
ここで、センサ４の第二センサ４２が検出する温度、湿度、または温湿度のうち少なくとも一つが報知部６の危険報知機能の停止を禁止するほど警戒レベルの高い状態とは、所定時間以内（例えば、１時間以内）にセンサ４の第二センサ４２が所定の温度、所定の湿度、または所定の温湿度であることを検知しているとき、または、センサ４の第二センサ４２が所定の閾値未満であるが所定の温度、所定の湿度、または所定の温湿度であることを検出したとき等で、予め設定される。
【００８５】
このように構成されるとき、図４に示すように、警報器１では、ステップＳ１１において報知部６の危険報知機能を停止する指示を指示受付部３が受付けた、と制御部２が判断した場合には、ステップＳ１３に移行して、停止禁止条件を満たすか否かについて、制御部２が判断する（ステップＳ１３）。
停止禁止条件を満たす、と制御部２が判断した場合には、ステップＳ１１に移行する。このとき、報知部６の危険報知機能を停止する指示を指示受付部３が受付けたが停止禁止条件を満たすために報知部６の危険報知機能を停止しない旨を、報知部６が報知する。
停止禁止条件を満たす、と制御部２が判断しない場合には、ステップＳ１２に移行する。
【００８６】
以上のように、報知部６の危険報知機能を停止する指示を指示受付部３が受付けたときに、停止禁止条件を満たす場合には、報知部６の危険報知機能を停止しない、警報器１では、指示受付部３が停止指示を受付けても停止禁止条件を満たす場合には報知部６の危険報知機能を停止しないことから、停止禁止条件を満たす報知部６の危険報知機能を停止することが好ましくないような状況において、指示受付部３が停止指示を受付けて報知部６の報知する機能が誤って停止されることを防止することができる。
【００８７】
警報器１では、停止禁止条件が、センサ４の第二センサ４２が検出する温度、湿度、または温湿度のうち少なくとも一つが報知部６の危険報知機能の停止を禁止するほど警戒レベルの高い状態にあることに基づく条件とされる場合には、センサ４の第二センサ４２が検出する温度、湿度、または温湿度のうち少なくとも一つが報知部６の危険報知機能の停止を禁止するほど警戒レベルの高い状態の危険時等に、指示受付部３が停止指示を受付けて報知部６の報知する機能が誤って停止されることを防止することができる。
停止禁止条件が、直近の報知部６の報知する動作から所定時間経過していないことに基づく条件とされる場合には、直近の報知部６の報知する動作から所定時間経過していない危険な状態が継続している可能性が高いときに、指示受付部３が停止示を受付けて報知部６の報知する機能が停止されることを防止することができる。
停止禁止条件が、報知部６の危険報知機能を停止する指示を指示受付部３が受付けないことについて予め設定されていることに基づく条件とされる場合には、例えば子供等によって意図せずに指示受付部３が停止指示を受付けて報知部６の報知する機能が誤って停止されることを防止することができる。
【００８８】
また、図５に示すように、警報器１では、ステップＳ１３において停止禁止条件を満たす、と制御部２が判断した場合には、ステップＳ１４に移行して、報知部６の危険報知機能を停止する指示を指示受付部３が直近で受付けてから所定時間以内（例えば、１５秒以内）に、報知部６の危険報知機能を停止する指示を指示受付部３が受付けた（指示受付部３の再指示受付）が行われたか否かについて、制御部２が判断する（ステップＳ１４）構成とすることもできる。
報知部６の危険報知機能を停止する指示を指示受付部３が直近で受付けてから所定時間以内に、報知部６の危険報知機能を停止する指示を指示受付部３が受付けた、と制御部２が判断した場合には、ステップＳ１２に移行する。このとき、停止禁止条件を満たすが指示受付部３が再度停止指示を受付けたために報知部６の危険報知機能を停止する旨を、報知部６が報知する。
報知部６の危険報知機能を停止する指示を指示受付部３が直近で受付けてから所定時間以内に、報知部６の危険報知機能を停止する指示を指示受付部３が受付けた、と制御部２が判断しない場合には、ステップＳ１１に移行する。
【００８９】
以上のように、報知部６の危険報知機能を停止する指示を指示受付部３が受付けたときに停止禁止条件を満たす場合において、所定時間以内に報知部６の危険報知機能を停止する指示を指示受付部３が受付けたときに、報知部６の危険報知機能を停止する、警報器１では、例えば外出するとき等の不必要時に、停止禁止条件を満たす場合であっても所定時間以内に指示受付部３が再度停止指示を受付けることによって報知部６の危険報知機能を停止することができる。
【００９０】
上記例では、報知部６の危険報知機能が停止している場合には、報知部６はランプおよび音声のいずれでも報知を行わないが、それに限らず所定の温度および／又は所定の湿度が検出されたときには、報知部６はランプのみで報知する動作を行うようにしてもよい。
このようにすることでも、報知部６が報知することによる電力消費を抑制し、不必要時における、音声報知による煩わしさを防止することができつつ、危険な状態にあることを知らせることができる。
【００９１】
次に、第二実施形態に係る警報器１について図６を用いて説明する。
なお、第二実施形態に係る警報器１の説明については、第一実施形態に係る警報器１と同様の部分の説明を適宜省略し、第一実施形態に係る警報器１と異なる部分を中心に説明する。
【００９２】
図６に示すように、警報器１は、制御部２と、指示受付部３と、センサ４と、報知部６と、人検知部７と、を備える。
【００９３】
警報器１の制御部２は、警報器１（指示受付部３と、センサ４、報知部６、および、人検知部７）の各種の動作を制御する。センサ４は、第一センサ４１と第二センサ４２とを備える。
【００９４】
警報器１の人検知部７は、警報器１が設置される周囲の人（屋内の人）の存在を検知する。
例えば、人検知部７は、赤外線センサ、超音波センサ、または、可視光センサ等の人感センサで構成され、人が動作している状態を検知して人を検知する。また例えば、人検知部７は、ドアセンサで構成され、ドアの開閉を検知して人を検知する。また例えば、人検知部７は、ガスコンロやＩＨコンロ等の調理器のスイッチがＯＮ／ＯＦＦされたこと、または、ガスメータまたは電気メータ等のメータ機器が計測した値等、を検出して人を検知する。また例えば、人検知部７は、調理器周りのガス漏れ、調理器周りの煙や湯気等、または、調理器上に配置される鍋やフライパン等の調理道具の表面温度等、を検出して人を検知する。
【００９５】
警報器１では、指示受付部３が復帰指示を受付けること、報知部６の危険報知機能が停止してから所定時間経過したとき、または、復帰条件を満たすこと等によって、報知部６の危険報知機能を復帰する設定が行われる。
【００９６】
警報器１では、復帰条件は、指示受付部３が復帰指示を受付けることに基づく条件、および、報知部６の危険報知機能が停止してから所定時間経過したことに基づく条件以外の条件であり、報知部６の危険報知機能が停止している状態で、予め設定される時間になったこと、センサ４の第二センサ４２が検出する温度、湿度、または温湿度のうち少なくとも一つが報知部６の危険報知機能の復帰を要するほど警戒レベルの高い状態にあること、または、人検知部７が人の存在を検知したこと等に基づく条件として、指示受付部３が指示を受付けることによって予め設定される。
また、他の復帰条件として、報知部６の危険報知機能が停止してから所定時間（報知部６の危険報知機能が停止する設定時間よりも短い時間）経過前に人検知部７が人の不在を検知しており（人の存在を検知せず）、当該所定時間経過後に、人検知部７が人の存在を検知した場合があげられる。
【００９７】
警報器１では、復帰条件が、人検知部７が人の存在を検知したことに基づく条件とされる場合には、指示受付部３に復帰指示をすることによる報知部６の危険報知機能を復帰させる設定を忘れていても、人検知部７が人の存在を検知することで、報知部６の危険報知機能を復帰させることができる。
【符号の説明】
【００９８】
１    警報器
２    制御部
３    指示受付部
４    センサ
６    報知部
７    人検知部
４１  第一センサ
４２  第二センサ
【図１】
2018037046.tif 000003
【図２】
2018037046.tif 000004
【図３】
2018037046.tif 000005
【図４】
2018037046.tif 000006
【図５】
2018037046.tif 000007
【図６】
2018037046.tif 000008